【手続補正書】
【提出日】令和2年1月16日(2020.1.16)
【手続補正１】
【補正対象書類名】特許請求の範囲
【補正対象項目名】全文
【補正方法】変更
【補正の内容】
【特許請求の範囲】
【請求項１】
クロマ予測方法であって、
処理されるべき画像ブロックのルーマ情報及びクロマ情報と、前記処理されるべき画像ブロックのルーマ成分に対して使用されるダウンサンプリング処理方式を示すために使用される第１処理情報と、前記処理されるべき画像ブロックのクロマ成分に対して使用されるダウンサンプリング処理方式を示すために使用される第２処理情報とを取得することと、
前記処理されるべき画像ブロックの前記ルーマ情報に基づき、前記処理されるべき画像ブロックの過渡ルーマブロックを再構成し、該過渡ルーマブロックの解像度は、前記処理されるべき画像ブロックのサンプリングフォーマット及び前記第１処理情報を使用することによって決定される、ことと、
前記過渡ルーマブロックの前記解像度、前記処理されるべき画像ブロックの前記サンプリングフォーマット、及び前記第２処理情報に基づき、前記処理されるべき画像ブロックの過渡クロマブロックの予測ブロックを取得し、前記過渡ルーマブロックの前記解像度は、前記過渡クロマブロックの解像度と同じであり、前記過渡クロマブロックの該解像度は、前記処理されるべき画像ブロックの前記サンプリングフォーマット及び前記第２処理情報を使用することによって決定される、ことと
を有する方法。
【請求項２】
前記第１処理情報が前記処理されるべき画像ブロックのルーマ成分に対して使用されるダウンサンプリング処理方式を示すために使用されることは、
前記第１処理情報が、ダウンサンプリングが前記処理されるべき画像ブロックの前記ルーマ成分に対して実行されないことを示すために使用されること、又は前記第１処理情報が、前記処理されるべき画像ブロックの前記ルーマ成分に対してダウンサンプリングを実行するフィルタを示すために使用されること
を有する、
請求項１に記載の方法。
【請求項３】
前記第２処理情報が前記処理されるべき画像ブロックのクロマ成分に対して使用されるダウンサンプリング処理方式を示すために使用されることは、
前記第２処理情報が、ダウンサンプリングが前記処理されるべき画像ブロックの前記クロマ成分に対して実行されないことを示すために使用されること、又は前記第２処理情報が、前記処理されるべき画像ブロックの前記クロマ成分に対してダウンサンプリングを実行するフィルタを示すために使用されること
を有する、
請求項１又は２に記載の方法。
【請求項４】
前記過渡ルーマブロックの前記解像度、前記処理されるべき画像ブロックの前記サンプリングフォーマット、及び前記第２処理情報に基づき、前記処理されるべき画像ブロックの過渡クロマブロックの予測ブロックを取得することは、
前記処理されるべき画像ブロックの前記サンプリングフォーマット及び前記第２処理情報に基づき、前記過渡クロマブロックの前記解像度を決定することと、
前記過渡クロマブロックの前記解像度が前記過渡ルーマブロックの前記解像度とは異なるときに、前記過渡ルーマブロックの前記解像度を調整して、該調整された過渡ルーマブロックの解像度が前記過渡クロマブロックの前記解像度と同じになるようにし、前記調整された過渡ルーマブロックを前記過渡クロマブロックのターゲットブロックとして使用すること、又は
前記過渡クロマブロックの前記解像度が前記過渡ルーマブロックの前記解像度と同じであるときに、前記過渡ルーマブロックの前記解像度を保持し、前記過渡ルーマブロックを前記過渡クロマブロックのターゲットブロックとして使用することと、
前記過渡クロマブロックの前記ターゲットブロックに基づき、前記過渡クロマブロックの前記予測ブロックを取得することと
を有する、
請求項１乃至３のうちいずれか一項に記載の方法。
【請求項５】
前記過渡ルーマブロックの前記解像度を調整することは、
前記過渡ルーマブロックの水平解像度を調整して、該調整された過渡ルーマブロックの水平解像度が前記過渡クロマブロックの水平解像度と同じになるようにすることと、
前記過渡ルーマブロックの垂直解像度を調整して、該調整された過渡ルーマブロックの垂直解像度が前記過渡クロマブロックの垂直解像度と同じになるようにすることと
を有する、
請求項４に記載の方法。
【請求項６】
前記過渡クロマブロックの前記ターゲットブロックに基づき、前記過渡クロマブロックの前記予測ブロックを取得することは、
前記ターゲットブロックの再構成画素値、前記ターゲットブロックの隣接再構成画素値、及び前記過渡クロマブロックの隣接再構成画素値に基づき、前記過渡クロマブロックの予測画素値を取得すること
を有する、
請求項４又は５に記載の方法。
【請求項７】
当該方法は、
前記第１処理情報に基づき前記過渡ルーマブロックに対して第１アップサンプリング処理を実行して、前記処理されるべき画像ブロックの再構成ルーマブロックを取得することを更に有し、
前記第１アップサンプリング処理は、前記第１処理情報によって示されて前記処理されるべき画像ブロックの前記ルーマ成分に対して実行されるダウンサンプリング処理の反転処理である、
請求項１乃至６のうちいずれか一項に記載の方法。
【請求項８】
当該方法は、
前記処理されるべき画像ブロックの前記クロマ情報及び前記予測ブロックに基づき、前記過渡クロマブロックを再構成することと、
前記第２処理情報に基づき前記過渡クロマブロックに対して第２アップサンプリング処理を実行して、前記処理されるべき画像ブロックの再構成クロマブロックを取得することと
を更に有し、
前記第２アップサンプリング処理は、前記第２処理情報によって示されて前記処理されるべき画像ブロックの前記クロマ成分に対して実行されるダウンサンプリング処理の反転処理である、
請求項１乃至７のうちいずれか一項に記載の方法。
【請求項９】
当該方法は、前記処理されるべき画像ブロックを復号するために使用され、
処理されるべき画像ブロックのルーマ情報及びクロマ情報と、第１処理情報と、第２処理情報とを取得することは、
ビットストリームから前記ルーマ情報及び前記クロマ情報を取得することと、
前記ビットストリームから前記第１処理情報及び前記第２処理情報を取得すること、
前記ビットストリームから前記第１処理情報及び前もってセットされた第２処理情報を取得すること、
前記ビットストリームから前記第２処理情報及び前もってセットされた第１処理情報を取得すること、又は
前もってセットされた第１処理情報及び前もってセットされた第２処理情報を取得することと
を有する、
請求項１乃至８のうちいずれか一項に記載の方法。
【請求項１０】
当該方法は、前記処理されるべき画像ブロックを符号化するために使用され、
処理されるべき画像ブロックのルーマ情報及びクロマ情報と、第１処理情報と、第２処理情報とを取得することは、
少なくとも１つの候補第１処理情報及び少なくとも１つの候補第２処理情報を使用することによって決定される前記処理されるべき画像ブロックの符号化コストを別々に計算することと、
最低符号化コストに対応する候補第１処理情報及び候補第２処理情報を前記取得された第１処理情報及び前記取得された第２処理情報として決定することと、
前記取得された第１処理情報及び前記取得された第２処理情報に基づき前記処理されるべき画像ブロックを符号化して、前記処理されるべき画像ブロックの前記ルーマ情報及び前記クロマ情報を取得することと
を有する、
請求項１乃至８のうちいずれか一項に記載の方法。
【請求項１１】
当該方法は、
前記取得された第１処理情報、前記取得された第２処理情報、前記取得されたルーマ情報、及び前記取得されたクロマ情報をビットストリームに符号化すること
を更に有する、
請求項１０に記載の方法。
【請求項１２】
クロマ予測デバイスであって、
処理されるべき画像ブロックのルーマ情報及びクロマ情報と、前記処理されるべき画像ブロックのルーマ成分に対して使用されるダウンサンプリング処理方式を示すために使用される第１処理情報と、前記処理されるべき画像ブロックのクロマ成分に対して使用されるダウンサンプリング処理方式を示すために使用される第２処理情報とを取得するよう構成される取得モジュールと、
前記処理されるべき画像ブロックの前記ルーマ情報に基づき、前記処理されるべき画像ブロックの過渡ルーマブロックを再構成するよう構成され、前記過渡ルーマブロックの解像度は、前記処理されるべき画像ブロックのサンプリングフォーマット及び前記第１処理情報を使用することによって決定される、再構成モジュールと
を有し、
前記取得モジュールは、前記過渡ルーマブロックの前記解像度、前記処理されるべき画像ブロックの前記サンプリングフォーマット、及び前記第２処理情報に基づき、前記処理されるべき画像ブロックの過渡クロマブロックの予測ブロックを取得するよう更に構成され、前記過渡ルーマブロックの前記解像度は、前記過渡クロマブロックの解像度と同じであり、前記過渡クロマブロックの該解像度は、前記処理されるべき画像ブロックの前記サンプリングフォーマット及び前記第２処理情報を使用することによって決定される、
デバイス。
【請求項１３】
前記第１処理情報が前記処理されるべき画像ブロックのルーマ成分に対して使用されるダウンサンプリング処理方式を示すために使用されることは、
前記第１処理情報が、ダウンサンプリングが前記処理されるべき画像ブロックの前記ルーマ成分に対して実行されないことを示すために使用されること、又は前記第１処理情報が、前記処理されるべき画像ブロックの前記ルーマ成分に対してダウンサンプリングを実行するフィルタを示すために使用されること
を有する、
請求項１２に記載のデバイス。
【請求項１４】
前記第２処理情報が前記処理されるべき画像ブロックのクロマ成分に対して使用されるダウンサンプリング処理方式を示すために使用されることは、
前記第２処理情報が、ダウンサンプリングが前記処理されるべき画像ブロックの前記クロマ成分に対して実行されないことを示すために使用されること、又は前記第２処理情報が、前記処理されるべき画像ブロックの前記クロマ成分に対してダウンサンプリングを実行するフィルタを示すために使用されること
を有する、
請求項１２又は１３に記載のデバイス。
【請求項１５】
前記取得モジュールは、
前記処理されるべき画像ブロックの前記サンプリングフォーマット及び前記第２処理情報に基づき、前記過渡クロマブロックの前記解像度を決定し、
前記過渡クロマブロックの前記解像度が前記過渡ルーマブロックの前記解像度とは異なるときには、前記過渡ルーマブロックの前記解像度を調整して、該調整された過渡ルーマブロックの解像度が前記過渡クロマブロックの前記解像度と同じになるようにし、前記調整された過渡ルーマブロックを前記過渡クロマブロックのターゲットブロックとして使用するか、あるいは、前記過渡クロマブロックの前記解像度が前記過渡ルーマブロックの前記解像度と同じであるときには、前記過渡ルーマブロックの前記解像度を保持し、前記過渡ルーマブロックを前記過渡クロマブロックのターゲットブロックとして使用し、
前記過渡クロマブロックの前記ターゲットブロックに基づき、前記過渡クロマブロックの前記予測ブロックを取得する
よう構成される、
請求項１２乃至１４のうちいずれか一項に記載のデバイス。
【請求項１６】
前記取得モジュールは、
前記過渡ルーマブロックの水平解像度を調整して、該調整された過渡ルーマブロックの水平解像度が前記過渡クロマブロックの水平解像度と同じになるようにし、
前記過渡ルーマブロックの垂直解像度を調整して、該調整された過渡ルーマブロックの垂直解像度が前記過渡クロマブロックの垂直解像度と同じになるようにする
よう構成される、
請求項１５に記載のデバイス。
【請求項１７】
前記取得モジュールは、
前記ターゲットブロックの再構成画素値、前記ターゲットブロックの隣接再構成画素値、及び前記過渡クロマブロックの隣接再構成画素値に基づき、前記過渡クロマブロックの予測画素値を取得する
よう構成される、
請求項１５又は１６に記載のデバイス。
【請求項１８】
当該デバイスは、
前記第１処理情報に基づき前記過渡ルーマブロックに対して第１アップサンプリング処理を実行して、前記処理されるべき画像ブロックの再構成ルーマブロックを取得するよう構成される処理モジュールを更に有し、
前記第１アップサンプリング処理は、前記第１処理情報によって示されて前記処理されるべき画像ブロックの前記ルーマ成分に対して実行されるダウンサンプリング処理の反転処理である、
請求項１２乃至１７のうちいずれか一項に記載のデバイス。
【請求項１９】
前記処理モジュールは、
前記処理されるべき画像ブロックの前記クロマ情報及び前記予測ブロックに基づき、前記過渡クロマブロックを再構成し、
前記第２処理情報に基づき前記過渡クロマブロックに対して第２アップサンプリング処理を実行して、前記処理されるべき画像ブロックの再構成クロマブロックを取得する
よう更に構成され、
前記第２アップサンプリング処理は、前記第２処理情報によって示されて前記処理されるべき画像ブロックの前記クロマ成分に対して実行されるダウンサンプリング処理の反転処理である、
請求項１８に記載のデバイス。
【請求項２０】
当該デバイスは、前記処理されるべき画像ブロックを復号するよう構成され、
前記取得モジュールは、
ビットストリームから前記ルーマ情報及び前記クロマ情報を取得し、
前記ビットストリームから前記第１処理情報及び前記第２処理情報を取得するか、前記ビットストリームから前記第１処理情報及び前もってセットされた第２処理情報を取得するか、前記ビットストリームから前記第２処理情報及び前もってセットされた第１処理情報を取得するか、あるいは、前もってセットされた第１処理情報及び前もってセットされた第２処理情報を取得する
よう構成される、
請求項１２乃至１９のうちいずれか一項に記載のデバイス。
【請求項２１】
当該デバイスは、前記処理されるべき画像ブロックを符号化するよう構成され、
前記取得モジュールは、
少なくとも１つの候補第１処理情報及び少なくとも１つの候補第２処理情報を使用することによって決定される前記処理されるべき画像ブロックの符号化コストを別々に計算し、
最低符号化コストに対応する候補第１処理情報及び候補第２処理情報を前記取得された第１処理情報及び前記取得された第２処理情報として決定し、
前記取得された第１処理情報及び前記取得された第２処理情報に基づき前記処理されるべき画像ブロックを符号化して、前記処理されるべき画像ブロックの前記ルーマ情報及び前記クロマ情報を取得する
よう構成される、
請求項１２乃至１９のうちいずれか一項に記載のデバイス。
【請求項２２】
当該デバイスは、
前記取得された第１処理情報、前記取得された第２処理情報、前記取得されたルーマ情報、及び前記取得されたクロマ情報をビットストリームにコンパイルするよう構成される書き込みモジュール
を更に有する、
請求項２１に記載のデバイス。
【手続補正２】
【補正対象書類名】明細書
【補正対象項目名】００２２
【補正方法】変更
【補正の内容】
【００２２】
任意に、第１の態様の実施で、当該方法は、前記処理されるべき画像ブロックを復号するために使用され、
処理されるべき画像ブロックのルーマ情報及びクロマ情報と、第１処理情報と、第２処理情報とを取得することは、
ビットストリームから前記ルーマ情報及び前記クロマ情報を取得することと、
前記ビットストリームから前記第１処理情報及び前記第２処理情報を取得すること、
前記ビットストリームから前記第１処理情報及び前もってセットされた第２処理情報を取得すること、
前記ビットストリームから前記第２処理情報及び前もってセットされた第１処理情報を取得すること、又は
前もってセットされた第１処理情報及び前もってセットされた第２処理情報を取得することと
を含む。
【手続補正３】
【補正対象書類名】明細書
【補正対象項目名】００２５
【補正方法】変更
【補正の内容】
【００２５】
任意に、第１の態様の実施で、当該方法は、
前記取得された第１処理情報、前記取得された第２処理情報、前記取得されたルーマ情報、及び前記取得されたクロマ情報をビットストリームに符号化すること
を更に含む。
【手続補正４】
【補正対象書類名】明細書
【補正対象項目名】００２７
【補正方法】変更
【補正の内容】
【００２７】
第３の態様に従って、メモリ、トランシーバ、及びプロセッサを含むクロマ予測デバイスが提供される。メモリは、第１の態様又は第１の態様のいずれかの任意の実施を実行するように指示するために使用され得るプログラムコードを記憶する。トランシーバは、プロセッサによって駆動された後に特定の信号を受信及び送信するよう構成される。コードが実行されるときに、プロセッサは、方法において実行される動作を実装し得る。
【手続補正５】
【補正対象書類名】明細書
【補正対象項目名】００３１
【補正方法】変更
【補正の内容】
【００３１】
図１は、本願に従うビデオ符号化／復号化システム１００の略ブロック図である。図１に示されるように、ビデオ符号化／復号化システム１００は、ソース装置１２及びあて先装置１４を含む。ソース装置１２は、符号化されたビデオデータを生成する。従って、ソース装置１２は、ビデオ符号化装置又はビデオ符号化デバイスと呼ばれ得る。あて先装置１４は、ソース装置１２によって生成された符号化されたビデオデータを復号し得る。従って、あて先装置１４は、ビデオ復号化装置又はビデオ復号化デバイスと呼ばれ得る。ソース装置１２及びあて先装置１４は、ビデオ符号化／復号化装置又はビデオ符号化／復号化デバイスの実施形態であり得る。ソース装置１２及びあて先装置１４は、デスクトップコンピュータ、モバイルコンピューティング装置、ノートブック（例えば、ラップトップ）コンピュータ、タブレットコンピュータ、セットトップボックス、スマートフォンのような携帯電話機、テレビ受像機、カメラ、表示装置、デジタルメディアプレイヤー、ビデオゲーム機、車載コンピュータ、及び同様の装置を含む広範囲の装置を含み得る。
【手続補正６】
【補正対象書類名】明細書
【補正対象項目名】００３５
【補正方法】変更
【補正の内容】
【００３５】
あて先装置１４は、標準データ接続（例えば、インターネット接続）を通じて、符号化されたビデオデータにアクセスし得る。データ接続のタイプの例として、ファイルサーバに記憶されている符号化されたビデオデータにアクセスするために使用される無線チャネル（例えば、ワイヤレス・フィデリティ（Wireless  Fidelity，Ｗｉ−Ｆｉ）接続）、有線接続（例えば、デジタル加入者回線（Digital  Subscriber  Line，ＤＳＬ）、ケーブルモデム）、又はそれらの組み合わせがある。符号化されたビデオデータは、ファイルサーバからストリーミング伝送、ダウンロード伝送、又はそれらの組み合わせを通じて伝送され得る。
【手続補正７】
【補正対象書類名】明細書
【補正対象項目名】００３６
【補正方法】変更
【補正の内容】
【００３６】
本願の技術は、無線シナリオに適用されることに限られない。例えば、技術は、次の応用：無線テレビ放送、有線テレビ伝送、及び衛星テレビ伝送、ストリーミングビデオ伝送（例えば、インターネットによる）、データ記憶媒体に記憶されているビデオデータの符号化、データ記憶媒体に記憶されているビデオデータの復号化、又は他の応用のような複数のマルチメディア応用におけるビデオの符号化／復号化をサポートすることに適用され得る。いくつかの実施形態で、ビデオ符号化／復号化システム１００は、ストリーミングビデオ伝送、ビデオ再生、ビデオ放送、及び／又はビデオ通話のような応答をサポートするように、一方向又は双方向のビデオ伝送をサポートするよう構成されてよい。
【手続補正８】
【補正対象書類名】明細書
【補正対象項目名】００４４
【補正方法】変更
【補正の内容】
【００４４】
任意に、処理されるべき画像ブロックのクロマ成分が独立して処理されるときに、方法は、第３処理情報を取得することを更に含む。第２処理情報は、処理されるべき画像ブロックの第１クロマ成分に対して使用されるダウンサンプリング処理方式を示すために使用される。第３処理情報は、処理されるべき画像ブロックの第２クロマ成分に対して使用されるダウンサンプリング処理方式を示すために使用される。
【手続補正９】
【補正対象書類名】明細書
【補正対象項目名】００５２
【補正方法】変更
【補正の内容】
【００５２】
具体的に、アップサンプリングフィルタとダウンサンプリングフィルタとの間の関係は、予め決められてよい。例えば、ダウンサンプリングフィルタ１がアップサンプリングフィルタ１に対応し、ダウンサンプリングフィルタ２がアップサンプリングフィルタ２に対応している。第１処理情報がダウンサンプリングフィルタ１を示す場合に、処理されるべき画像ブロックに対してアップサンプリングを実行するために、第１処理情報及びアップサンプリングフィルタとダウンサンプリングフィルタとの間の予め決定されていた関係に基づき、アップサンプリングフィルタ１が選択される。代替的に、第１処理情報は、モデル、タップの数、又はフィルタの係数の中の少なくとも１つであってよい。ダウンサンプリングフィルタのモデルは、３ローブ  ランチョスフィルタ、双線形フィルタ、ガウスフィルタ、などを示し得る。アップサンプリングフィルタは、ＤＣＴＩＦフィルタ、双線形補間フィルタ、ｓｉｎｃフィルタ、などであってよい。
【手続補正１０】
【補正対象書類名】明細書
【補正対象項目名】００５９
【補正方法】変更
【補正の内容】
【００５９】
具体的に、アップサンプリングフィルタとダウンサンプリングフィルタとの間の関係は、予め決められてよい。例えば、ダウンサンプリングフィルタ３がアップサンプリングフィルタ３に対応し、ダウンサンプリングフィルタ４がアップサンプリングフィルタ４に対応している。第２処理情報がダウンサンプリングフィルタ３を示す場合に、処理されるべき画像ブロックに対してアップサンプリングを実行するために、第２処理情報及びアップサンプリングフィルタとダウンサンプリングフィルタとの間の予め決定されていた関係に基づき、アップサンプリングフィルタ３が選択される。代替的に、第２処理情報は、モデル、タップの数、又はフィルタの係数の中の少なくとも１つであってよい。ダウンサンプリングフィルタのモデルは、３ローブ  ランチョスフィルタ、双線形フィルタ、ガウスフィルタ、などを示し得る。アップサンプリングフィルタは、ＤＣＴＩＦフィルタ、双線形補間フィルタ、ｓｉｎｃフィルタ、などであってよい。
【手続補正１１】
【補正対象書類名】明細書
【補正対象項目名】００７６
【補正方法】変更
【補正の内容】
【００７６】
ダウンサンプリング符号化モードは、処理されるべき画像ブロックのルーマ成分及びクロマ成分に対して適応的に選択され得ることが理解されるべきである。画像ブロックごとに４つのとり得る符号化モード、すなわち、ルーマ及びクロマ原解像度符号化、ルーマ及びクロマダウンサンプリング、ルーマダウンサンプリング及びクロマ原解像度符号化、並びにルーマ原解像度符号化及びクロマダウンサンプリング、が存在する。
【手続補正１２】
【補正対象書類名】明細書
【補正対象項目名】００７９
【補正方法】変更
【補正の内容】
【００７９】
補間操作が、過渡クロマブロックのサンプリング点の位置及び過渡ルーマブロックのサンプリング点の位置に基づき過渡ルーマブロックの再構成画素に対して実行されて、補正された過渡ルーマブロックの再構成画素が得られる。補正された過渡ルーマブロックは、過渡クロマブロックのターゲットブロックとして使用される。
【手続補正１３】
【補正対象書類名】明細書
【補正対象項目名】００８０
【補正方法】変更
【補正の内容】
【００８０】
本願のこの実施形態で、処理されるべき画像ブロックのＹＣｂＣｒサンプリングフォーマットが４：２：０であることは、単に例として使用されていることが理解されるべきである。代替的に、処理されるべき画像ブロックのＹＣｂＣｒフォーマットは、４：４：４又は４：２：２であってもよい。処理されるべき画像ブロックのＹＣｂＣｒフォーマットは、本願において制限されない。
【手続補正１４】
【補正対象書類名】明細書
【補正対象項目名】００８７
【補正方法】変更
【補正の内容】
【００８７】
最初に、符号化されるべき画像ブロックのルーマ／クロマ相関モデルが確立され、すなわち、パラメータα及びβの値が決定され、そして、ターゲットブロックの隣接再構成画素値及び過渡クロマブロックの隣接再構成画素値が取得される。ターゲットブロックの隣接再構成画素値は、ターゲットブロックに対して上の行で隣接する画像ブロックの再構成ルーマ画素値と、ターゲットブロックに対して左の列で隣接する画像ブロックの再構成ルーマ画素値とを含む。過渡クロマブロックの隣接再構成画素値は、過渡クロマブロックに対して上の行で隣接する画像ブロックの再構成クロマ画素値と、過渡クロマブロックに対して左の列で隣接する画像ブロックの再構成クロマ画素値とを含む。
【手続補正１５】
【補正対象書類名】明細書
【補正対象項目名】００８９
【補正方法】変更
【補正の内容】
【００８９】
ターゲットブロックに対して上の行で隣接する画像ブロックの再構成ルーマ画素のサンプリング点の位置及び解像度が、過渡クロマブロックに対して上の行で隣接する画像ブロックの再構成クロマ画素のサンプリング点の位置及び解像度とは異なる場合に、ターゲットブロックに対して上の行で隣接する画像ブロックの再構成ルーマ画素のサンプリング点の位置及び解像度は調整されるべきであり、それにより、ターゲットブロックに対して上の行で隣接する調整された画像ブロックの再構成ルーマ画素のサンプリング点の位置及び解像度は、過渡クロマブロックに対して上の行で隣接する画像ブロックの再構成クロマ画素のサンプリング点の位置及び解像度と同じである。調整は、アップサンプリング、ダウンサンプリング、又はサンプリング点の位置に基づき実行される補間操作であってよい。同様に、ターゲットブロックに対して左の列で隣接する画像ブロックの再構成ルーマ画素のサンプリング点の位置及び解像度は、過渡クロマブロックに対して左の列で隣接する画像ブロックの再構成クロマ画素のサンプリング点の位置及び解像度に基づき調整される。
【手続補正１６】
【補正対象書類名】明細書
【補正対象項目名】００９０
【補正方法】変更
【補正の内容】
【００９０】
パラメータα及びβの値は、ターゲットブロックに対して上の行で隣接する画像ブロックの再構成ルーマ画素値、及び過渡クロマブロックに対して上の行で隣接する画像ブロックの再構成クロマ画素値と、ターゲットブロックに対して左の列で隣接する画像ブロックの再構成ルーマ画素値、及び過渡クロマブロックに対して左の列で隣接する画像ブロックの再構成クロマ画素値とに基づき決定される。
【手続補正１７】
【補正対象書類名】明細書
【補正対象項目名】０１０４
【補正方法】変更
【補正の内容】
【０１０４】
任意に、方法は、
取得された第１処理情報、取得された第２処理情報、取得されたルーマ情報、及び取得されたクロマ情報をビットストリームに符号化すること
を更に含む。
【手続補正１８】
【補正対象書類名】明細書
【補正対象項目名】０１２０
【補正方法】変更
【補正の内容】
【０１２０】
７０５．処理されるべき現在の画像ブロックのルーマ成分の再構成画素を取得する。ルーマ成分の再構成画素の解像度は低いことが、留意されるべきである。処理されるべき現在の画像ブロックの原解像度ルーマ成分の再構成画素を得るために、ルーマ成分の目下の低解像再構成画素に対してアップサンプリングが更に実行される必要がある。アップサンプリング処理及びダウンサンプリング処理は逆である。
【手続補正１９】
【補正対象書類名】明細書
【補正対象項目名】０１２１
【補正方法】変更
【補正の内容】
【０１２１】
処理されるべき現在の画像ブロックのクロマ成分に対してダウンサンプリングが実行されないことが、パーシングを通じてビットストリームから取得されるときに、すなわち、処理されるべき現在の画像ブロックのクロマ成分の解像度が原解像度であるときに、処理されるべき現在の画像ブロックのクロマ成分の残差信号は、同じプロセスにより取得される。次いで、ルーマ／クロマ相関モデルがルーマ成分の低解像度再構成画素に適用されて、処理されるべき画像ブロックの原解像度クロマ成分の予測信号が取得され、そして、処理されるべき現在の画像ブロックの原解像度クロマ成分の予測信号と残差信号とが加算された後に取得される信号に基づき、フィルタリングが実行されて、処理されるべき現在の画像ブロックの原解像度クロマ成分の再構成信号が取得される。
【手続補正２０】
【補正対象書類名】明細書
【補正対象項目名】０１２４
【補正方法】変更
【補正の内容】
【０１２４】
任意に、取得モジュール８１０及び再構成モジュール８２０は、本願のクロマ予測方法２００における動作を実行するよう構成される。簡潔さのために、詳細は、ここで再び記載されない。
【手続補正２１】
【補正対象書類名】明細書
【補正対象項目名】０１２５
【補正方法】変更
【補正の内容】
【０１２５】
任意に、クロマ予測デバイス８００は、処理されるべき画像ブロックを復号するよう構成される。取得モジュール８１０は、ビットストリームから前記ルーマ情報及び前記クロマ情報を取得するよう、且つ、ビットストリームから第１処理情報及び第２処理情報を取得するか、ビットストリームから第１処理情報及び前もってセットされた第２処理情報を取得するか、ビットストリームから第２処理情報及び前もってセットされた第１処理情報を取得するか、あるいは、前もってセットされた第１処理情報及び前もってセットされた第２処理情報を取得するよう構成される。
【手続補正２２】
【補正対象書類名】明細書
【補正対象項目名】０１２６
【補正方法】変更
【補正の内容】
【０１２６】
任意に、クロマ予測デバイス８００は、処理されるべき画像ブロックを符号化するよう構成される。取得モジュール８１０は、
少なくとも１つの候補第１処理情報及び少なくとも１つの候補第２処理情報を使用することによって決定される処理されるべき画像ブロックの符号化コストを別々に計算し、
最低符号化コストに対応する候補第１処理情報及び候補第２処理情報を、取得された第１処理情報及び取得された第２処理情報として決定し、
取得された第１処理情報及び取得された第２処理情報に基づき、処理されるべき画像ブロックを符号化して、処理されるべき画像ブロックのルーマ情報及びクロマ情報を取得する
よう構成される。
【手続補正２３】
【補正対象書類名】明細書
【補正対象項目名】０１２９
【補正方法】変更
【補正の内容】
【０１２９】
任意に、コードが実行されるときに、プロセッサ９３０は、方法２００の動作を実装してよい。簡潔さのために、詳細は、ここで再び記載されない。トランシーバ９２０は、プロセッサ９２０によって駆動された後に信号を送信及び受信するよう構成される。
【手続補正２４】
【補正対象書類名】明細書
【補正対象項目名】０１３１
【補正方法】変更
【補正の内容】
【０１３１】
図１０は、ビデオ符号化／復号化装置又は電子デバイス１０００の略ブロック図である。装置又は電子デバイスは、本発明の実施形態では、コーデックに一体化されてよい。図１１は、本願に従うビデオ符号化のための装置の概略図である。以下は、図１０及び図１１のユニットについて記載する。
【手続補正２５】
【補正対象書類名】明細書
【補正対象項目名】０１３３
【補正方法】変更
【補正の内容】
【０１３３】
装置１０００は、デバイスを収容し保護するよう構成される筐体３０を含んでよい。装置１０００は、液晶ディスプレイの形でディスプレイ３２を更に含んでもよい。本願の他の実施形態では、ディスプレイ３２は、画像又はビデオを表示するために使用される任意の適切なディスプレイであってよい。装置１０００は、スモールキーボード３４を更に含んでもよい。本願の他の実施形態では、任意の適切なデータ又はユーザインターフェイスメカニズムが使用され得る。例えば、ユーザインターフェイスは、仮想キーボードとして実装されてよく、あるいは、データ入力システムは、タッチ検知ディスプレイの部分として実装されてもよい。装置は、マイクロホン３６又は任意の適切な音声入力部を含んでもよく、音声入力部は、デジタル又はアナログ信号入力であってよい。装置１０００は、次の音声出力デバイスを更に含んでもよい。本願のこの実施形態における音声出力デバイスは、ヘッドセット３８、ラウドスピーカ、アナログ音声出力接続、又はデジタル音声出力接続の中の任意の１つであってよい。装置１０００は、バッテリ４０を更に含んでもよい。本願の他の実施形態では、デバイスは、太陽電池、燃料電池、又はクロックメカニズム発生器のような任意の適切なモバイルエネルギデバイスによって給電されてよい。装置は、他のデバイスとの短距離の見通し内通信のために使用される赤外線ポート４２を更に含んでよい。他の実施形態では、装置１０００は、ブルートゥース無線接続又はＵＳＢ／ファイアワイア有線接続のような任意の適切な短距離通信ソリューションを更に含んでもよい。
【手続補正２６】
【補正対象書類名】明細書
【補正対象項目名】０１３４
【補正方法】変更
【補正の内容】
【０１３４】
装置１０００は、装置１０００又はプロセッサを制御するよう構成されるコントローラ５６を含んでよい。コントローラ５６は、メモリ５８へ接続され得る。本願のこの実施形態で、メモリ５８は、画像データ及び音声データを記憶してよく、且つ／あるいは、コントローラ５６で実装される命令を記憶してよい。コントローラ５６は、音声及び／又はビデオデータ符号化及び復号化を実装するか、あるいは、コントローラ５６によって実装される補助的な符号化及び復号化を実装するよう構成されるコーデック回路５４へ更に接続され得る。
【手続補正２７】
【補正対象書類名】明細書
【補正対象項目名】０１３６
【補正方法】変更
【補正の内容】
【０１３６】
装置１０００は、無線インターフェイス回路５２を更に含んでもよい。無線インターフェイス回路５２は、コントローラ５６へ接続され、セルラー通信ネットワーク、無線通信システム、又は無線ローカル・エリア・ネットワークとの通信に使用される無線通信信号を生成するよう構成される。装置１０００は、アンテナ４４を更に含んでもよい。アンテナ４４は、無線インターフェイス回路５２へ接続され、無線インターフェイス回路５２によって生成された無線周波数回路を他の（又は複数の）装置へ送信するよう構成され、且つ、他の（又は複数の）装置からの無線周波数信号を受信するよう構成される。
【手続補正２８】
【補正対象書類名】明細書
【補正対象項目名】０１３７
【補正方法】変更
【補正の内容】
【０１３７】
本願のいくつかの実施形態で、装置１０００は、信号フレームを記録又は検出することができるカメラを含み、コーデック５４又はコントローラ５６は、信号フレームを受信及び処理する。本願のいくつかの実施形態で、装置は、処理されるべきビデオ画像データを伝送及び／又は記憶の前に他のデバイスから受信してよい。本願のいくつかの実施形態で、装置１０００は、画像を符号化／復号化のために無線又は有線接続を通じて受信してよい。
【手続補正２９】
【補正対象書類名】図面
【補正対象項目名】図６
【補正方法】変更
【補正の内容】
【図６】
2020526994.tif 000001